(57)【要約】【課題】  容器体口頸部の外面へ、金属製キャップを螺合させた容器において、そのキャップを外見にすぐれ、かつ周壁下端が他物を傷つけることのない安全なキャップとした。【解決手段】  容器体１の口頸部５へ、金属製のキャップ11を螺合させた容器において、キャップ周壁13の下端部を上内方へ折返し、かつ該折返し部分15内径を、容器体口頸部外面の雄ねじ７外径よりも大内径とした。【選択図】  図１
2005075415.tif 000002
【特許請求の範囲】
【請求項１】
雄ねじ７付きの口頸部５を起立する容器体１と、該口頸部外面へ螺合させた金属製のキャップ11とからなり、
該キャップ周壁13の下端部を上内方へ折返して該折返し部分15の内面を、上記口頸部の雄ねじ外径よりも大内径とした
ことを特徴とする金属製キャップ付き容器。
【請求項２】
上記キャップの頂板12外径と、該頂板外周から垂下する周壁13とを同一外径とすると共に、該周壁上部13a と下部13c との間の周壁部分を断面連続波形状として該連続波形状部分13b 内面の外方張出し部分内面を上記雄ねじ７へ螺合する雌ねじ14とした
ことを特徴とする請求項１記載の金属製キャップ付き容器。
【請求項３】
上記容器体口頸部５を、胴部３上端から内向きフランジ状肩部４を介して起立し、又胴部３外径を上記キャップ外径とほぼ同一としてキャップ周壁外面下端を胴部外面上端へ近接ないし当接させた
ことを特徴とする、請求項１又は２記載の金属製キャップ付き容器。
【発明の詳細な説明】
【技術分野】
【０００１】
本発明は金属製キャップ付きの容器に関する。
【背景技術】
【０００２】
容器体口頸部外面へ螺合させる金属製キャップとして、キャップ周壁の上下方向全体を断面連続波形状に形成して周壁下端は上内方への折返し等を行わないままとしたものが知られている（特許文献１）。
【０００３】
又周壁下端を上外方へ弯曲させて丸めた金属製キャップも市販品容器に用いられている。
【特許文献１】特開２００３−１５５０５２号公報
【発明の開示】
【発明が解決しようとする課題】
【０００４】
上記従来キャップのうち、前者は周壁下端外縁のエッジが他物を傷つけるおそれがあり、又後者の場合はキャップ外見上好ましくない場合がある。
【０００５】
例えば化粧用クリームを収納するための化粧品収納容器は、デザインも含めて外見が優れていることが望ましく、特にそのキャップに光沢を持たせることが、又その艶消しを行うことが外見向上の重要な要素となる。合成樹脂製キャップ表面へ各種金属被覆を施すことで光沢を付したり、艶消しすることが行われているが、このようにすると高価となり好ましくない。
【０００６】
本発明は、化粧品収納容器としても使用できる程度に、安全でかつ外見にすぐれた金属製キャップ付きの容器を提案するものである。
【課題を解決するための手段】
【０００７】
第１の手段として雄ねじ７付きの口頸部５を起立する容器体１と、該口頸部外面へ螺合させた金属製のキャップ11とからなり、
該キャップ周壁13の下端部を上内方へ折返して該折返し部分15の内面を、上記口頸部の雄ねじ外径よりも大内径とした。
【０００８】
第２の手段として、上記第１の手段を有すると共に上記キャップの頂板12外径と、該頂板外周から垂下する周壁13とを同一外径とすると共に、該周壁上部13a と下部13c との間の周壁部分を断面連続波形状として該連続波形状部分13b 内面の外方張出し部分内面を上記雄ねじ７へ螺合する雌ねじ14とした。
【０００９】
第３の手段として、上記第１又は第２の手段を有すると共に上記容器体口頸部５を、胴部３上端から内向きフランジ状肩部４を介して起立し、又胴部３外径を上記キャップ外径とほぼ同一としてキャップ周壁外面下端を胴部外面上端へ近接ないし当接させた。
【発明の効果】
【００１０】
請求項１のようにすることで、キャップ周壁下端部は上内方へ折返してあるから、その周壁下端が他物を傷つけるおそれは全くなく、又上外方へ折返した場合に比べて外見がよく、更に又その折返し部分15の内面は口頸部雄ねじ部分外径よりも大内径としてあるから、口頸部外面への螺合に際して上記折返し部分が邪魔となることは全くない。
【００１１】
請求項２のようにすることで、キャップ周壁外径は、キャップ頂板の外面から周壁下端まで同一外径となり、キャップ外見を向上させることが出来る。
【００１２】
請求項３のようにすることで、容器上端から下端までを、つまりキャップ頂板外周から容器体胴部の下端外周までをほぼ同一外径とすることで、その外見を向上できる。
【発明を実施するための最良の形態】
【００１３】
以下図面について説明すると、１は金属製の容器本体で、該容器本体は底板２外周から円筒状の胴部３を起立し、該胴部上端から内向きフランジ状の短かく設けた肩部４を介して口頸部５を起立している。その口頸部は上端部を下内方へ丸めてその先端縁を口頸部の上部内面へ当接させて、断面リング状の口縁部６としている。又その口頸部の上下方向中間部は、断面連続波形状とし、その連続波形の外方突出部分外面を雄ねじ７としている。
【００１４】
尚上記容器本体は金属製に限定するものではなく、合成樹脂製や硝子製でもよく、この場合は口頸部５を肉厚としてその外面へ雄ねじを設け、又口頸部は上下方向同一内径に形成すればよい。
【００１５】
11は金属製のキャップで、頂板12外周から周壁13を垂下する。該周壁は上下方向同一外径で、上部13a と下部13c とを除く周壁部分を雌ねじ形成用の断面連続波形状部分13b として該部分の外方張出し部分内面を、上記雄ねじ７外面へ螺合させる雌ねじ14に形成している。
【００１６】
該キャップ周壁の連続波形状部分13b の雌ねじ14の深さは、既述雄ねじ７の高さよりも長く形成して口頸部５外面とキャップ周壁13内面との間に間隙を形成し、キャップ周壁を大外径化させている。又周壁13下端は上内方へ折返し、かつ該折返し部分へローラをかけ潰すことで、その折返し部分15を上方へ起立させ、該折返し部分内面を雄ねじ部分外径よりも大内径としている。
【００１７】
上記キャップ周壁13の外径は、容器体胴部３の外径とほぼ同一外径としており、キャップ周壁を容器体口頸部外面へ螺合させ、かつ締付けたとき、キャップ周壁の下端外面が、胴部３の外面上端へ近接ないし接するよう設けたものとする。
【００１８】
キャップ周壁13の上部13a の上下方向長さは全長の約２分の１弱から３分の１強とし、雌ねじ形成部分としての断面連続波形状部分13b の長さも同程度とし、周壁下部13c の長さは約６分の１程度とするとよい。周壁上部13a は、キャップ螺動操作時における把持部を形成するものであり、そのため周壁上部を比較的長く形成している。
【００１９】
上記容器体およびキャップを化粧品収納容器とする場合は、外見上すぐれた容器とし、特にキャップ外面は光沢を有する、ないしは艶消しを施した高級感のあるキャップとする。
【００２０】
16はキャップ頂板12の下面へ粘着させたパッキングである。
【図面の簡単な説明】
【００２１】
【図１】本発明容器の縦断面図である。
【符号の説明】
【００２２】
１  容器体                          ５  口頸部
７  雄ねじ                          11  キャップ
13  周壁                            13b 連続波形状部分
14  雌ねじ                          15  折返し部分
【図１】
2005075415.tif 000003